(57)【要約】【課題】各種作動杆やスプリングの配置の改良及び内枠に対する取付けを改良してスリム化を達成する一方、スリム化の特徴を生かしつつ取付作業を容易化した遊技機における施錠装置を提供する。【解決手段】施錠装置１７の支持体２０は第１分割体３０と第２分割体５０とにより施錠機構７０の四方を覆うように断面四角枠状とする。施錠機構７０は外枠作動杆８０、ガラス扉作動杆１１０及び中央杆１００を上下動自在にかつ重層状に配置する。施錠機構７０には外枠作動杆８０及びガラス扉作動杆１１０を施錠方向に付勢するとともに外枠作動杆８０及びガラス扉作動杆１１０の間に亘って設けられたスプリングＣ１，Ｃ２を含む。施錠機構７０には外枠作動杆８０及びガラス扉作動杆１１０と中央杆１００の間に設けられるとともに外枠作動杆８０及びガラス扉作動杆１１０を開錠方向に別々に移動させる連係手段を含む。【選択図】図１
2007330464.tif 000002
【特許請求の範囲】
【請求項１】
内枠に取り付けられる支持体に対して、外枠及びガラス扉を施錠及び開錠する施錠機構を設けた遊技機における施錠装置において、
前記支持体は、複数の分割体が組み付けされることにより、前記施錠機構の四方を覆うように断面四角枠状となし、
前記施錠機構は、
前記支持体内において、上下動自在にかつ重層状に設けられた、外枠作動杆、ガラス扉作動杆及び前記外枠作動杆と前記ガラス扉作動杆間に配置される中央杆と、
前記外枠作動杆及び前記ガラス扉作動杆を施錠方向に付勢するとともに前記外枠作動杆及び前記ガラス扉作動杆の間に亘って設けられたスプリングを含み、
前記外枠作動杆及び前記ガラス扉作動杆と前記中央杆の間に設けられるとともに前記外枠作動杆及び前記ガラス扉作動杆を開錠方向に別々に移動させる連係手段を含み、
前記中央杆が上下作動されることにより、前記施錠機構の外枠及びガラス扉に対する施錠及び開錠することを特徴とする遊技機における施錠装置。
【請求項２】
前記分割体は、
幅広い側板と該側板の両端に形成された幅狭な一対の端壁により断面略コ字状に形成された第１分割体と、
前記第１分割体の側板に対向する縦長状の対向側壁を有するとともに、前記第１分割体の側板、前記一対の端壁と協働して前記施錠機構を覆うように前記第１分割体に取着される第２分割体を含むことを特徴とする請求項１に記載の遊技機における施錠装置。
【請求項３】
第２分割体の対向側壁の長手方向に延びる一方の側縁は、前記第１分割体の一方の端壁に対して挿通係止され、
前記対向側壁の長手方向に延びる他方の側縁は、前記第１分割体の他方の端壁に対して締付固定されていることを特徴とする請求項２に記載の遊技機における施錠装置。
【請求項４】
前記中央杆の上下方向に開口した挿通孔に前記スプリングを挿通して、前記外枠作動杆と前記ガラス扉作動杆の間に該スプリングを配置したことを特徴とする請求項１又は請求項３のうちいずれか１項に記載の遊技機における施錠装置。
【請求項５】
前記外枠作動杆と前記ガラス扉作動杆に、前記中央杆の非延長領域を設け、
該非延長領域において、前記スプリングを配置したことを特徴とする請求項１乃至請求項３のうちいずれか１項に記載の遊技機における施錠装置。
【請求項６】
前記スプリングは圧縮スプリングであり、前記外枠作動杆及び前記ガラス扉作動杆を施錠方向に付勢したことを特徴とする請求項１乃至請求項５のうちいずれか１項に記載の遊技機における施錠装置。
【請求項７】
前記スプリングは引張スプリングであり、前記外枠作動杆及び前記ガラス扉作動杆を施錠方向に付勢したことを特徴とする請求項１乃至請求項５のうちいずれか１項に記載の遊技機における施錠装置。
【請求項８】
前記外枠作動杆又はガラス扉作動杆を上下一対の分離した上下部作動杆としたことを特徴とする請求項１乃至請求項７のいずれか１項に記載の遊技機における施錠装置。
【請求項９】
前記外枠作動杆に設けられた外枠鉤とガラス扉作動杆に設けられたガラス扉鉤に前記外枠の係止部と前記ガラス扉の係止部が係合離脱する係合溝をそれぞれ有する係合突起が設けられ、
前記外枠鉤及び前記ガラス扉鉤のうち少なくとも一方には、前記いずれか一方の係止部が閉鎖時に当接するとともに、傾斜状の当接摺動面が形成され、
該当接摺動面は、閉鎖時の当接前半部が傾斜面に形成されるとともに前記係合溝側の当接後半部が前記当接前半部よりも面圧が軽減される面圧軽減面に形成されていることを特徴とする請求項１乃至請求項８のいずれか１項に記載の遊技機における施錠装置。
【請求項１０】
内枠に取り付けられる支持体に対して、上下動自在に配置されることにより外枠及びガラス扉をそれぞれ施錠及び開錠する外枠作動杆及びガラス扉作動杆を含む施錠機構を設けた遊技機における施錠装置であって、
前記支持体は複数の分割体が組み付けされることにより、前記施錠機構の四方を覆うように断面四角枠状となすとともに前記内枠に対して取付けする取付部を備え、
該取付部は、前記支持体において、前記内枠の背面に向く側壁の側縁から突出形成されるとともに、下方向に開口する係止溝を有する係止鉤を含むことを特徴とする遊技機における施錠装置。
【請求項１１】
前記取付部は、係止鉤が形成されていない前記支持体の他方の側壁から、前記内枠の背面とは反対側に延出されるとともに折り曲げ形成された取付片を含むことを特徴とする遊技機における請求項１０に記載の施錠装置。
【請求項１２】
請求項１乃至請求項９のうちのいずれか１項に記載の施錠機構を有した遊技機における施錠装置に、請求項１０又は請求項１１に記載の取付部を備えた遊技機における施錠装置。
【発明の詳細な説明】
【技術分野】
【０００１】
本発明は、パチンコ遊技機における開閉可能な外枠、内枠およびガラス扉を施錠する遊技機における施錠装置に関する。
【背景技術】
【０００２】
従来、遊技機における施錠装置としては、特許文献１に記載された施錠装置が公知である。この施錠装置４００では、図１２に示すように固定板４１０，側板４１１及びリブ４１２からなる支持体４２０に対して外枠作動杆４２１とガラス扉作動杆４２３が重層状態で上下方向に摺動自在に設けられている。又、この施錠装置４００は、側板４１１とガラス扉作動杆４２３等の間にはロック体４２５、リベット４２６やスプリング（図示しない）が配置されるとともに、側板４１１が外側に膨出されている。前記外枠作動杆４２１は、上下分割された上部外枠作動杆４３２と下部外枠作動杆４３４が重層配置されている。そして、支持体４２０の固定板４１０には、外枠作動杆４２１を所定方向に付勢する、第１、第２コイルばねＣ１１，Ｃ１２の一端を掛け止めする第１，第２ばね掛止片４１４，４１６が設けられている。
【０００３】
この遊技機における施錠装置４００は、遊技盤（図示しない）が背面に保持された内枠（図示しない）の背面に支持体４２０の固定板４１０がねじ等に固定されている。
【特許文献１】特開２００４−８１６８８号公報、図１、段落００３４〜００３５
【発明の開示】
【発明が解決しようとする課題】
【０００４】
しかし、上記の遊技機における施錠装置４００では、ガラス扉作動杆４２３、上部外枠作動杆４３２と下部外枠作動杆４３４が重層されるとともに、側板４１１が膨出され、さらに、これら作動杆の側方にロック体４２５等や第１，第２コイルばねＣ１１，Ｃ１２が配置されているため、施錠装置４００が部厚く構成されていた。
【０００５】
又、内枠（図示しない）と固定板４１０の面同士の取付けであるために、固定板４１０は各種作動杆や第１，第２コイルばねＣ１１，Ｃ１２の配置スペースの他、固定板４１０を介して内枠（図示しない）に対して螺合される固定ねじの配置スペースが必要であり、固定板４１０が幅広となって施錠装置４００が部厚くなっていた。
【０００６】
さらに、従来の施錠装置４００は大型であるが故に重量も重く、且つ、内枠（図示しない）と固定板４１０の面同士の取付けであったために、前記固定ねじが螺合される内枠等のねじ孔を確認し難く、取付作業が容易でなかった。
【０００７】
一方、近年、内枠の背面に保持される遊技盤が大型化することに応じて、施錠装置の接地スペースが減少し、施錠装置のスリム化が要望されるようになってきた。
本発明の目的は、各種作動杆やスプリングの配置の改良及び内枠に対する取付けを改良してスリム化を達成する一方、スリム化の特徴を生かしつつ取付作業を容易化した遊技機における施錠装置を提供することにある。
【課題を解決するための手段】
【０００８】
上記問題点を解決するために、請求項１に記載の発明は、内枠に取り付けられる支持体に対して、外枠及びガラス扉を施錠及び開錠する施錠機構を設けた遊技機における施錠装置において、前記支持体は、複数の分割体が組み付けされることにより、前記施錠機構の四方を覆うように断面四角枠状となし、前記施錠機構は、前記支持体内において、上下動自在にかつ重層状に設けられた、外枠作動杆、ガラス扉作動杆及び前記外枠作動杆と前記ガラス扉作動杆間に配置される中央杆と、前記外枠作動杆及び前記ガラス扉作動杆を施錠方向に付勢するとともに前記外枠作動杆及び前記ガラス扉作動杆の間に亘って設けられたスプリングを含み、前記外枠作動杆及び前記ガラス扉作動杆と前記中央杆の間に設けられるとともに前記外枠作動杆及び前記ガラス扉作動杆を開錠方向に別々に移動させる連係手段を含み、前記中央杆が上下作動されることにより、前記施錠機構の外枠及びガラス扉に対する施錠及び開錠することを特徴とする遊技機における施錠装置を要旨とするものである。
【０００９】
請求項１の発明によれば、中央杆を外枠作動杆とガラス扉作動杆間に配置して重層状に配置したため、施錠装置がスリム化される。又、スプリングを支持体の側壁に係止する必要がない。この結果、スプリングを支持体に取り付け係止するための構成が必要でなくなるとともに、該構成のスペース分、支持体の薄型化を図ることができる。さらに、スプリングを外枠作動杆及び前記ガラス扉作動杆の間に亘って配置することによって、外枠作動杆及び前記ガラス扉作動杆の間に位置する中央杆の厚み分をスプリングの幅方向の収納スペースに利用でき、そのことによっても施錠装置をコンパクト化することができる。又、外枠作動杆及びガラス扉作動杆を施錠方向に付勢するスプリングが、外枠作動杆とガラス扉作動杆の間に亘って設けられているため、中央杆が操作されていない時にはスプリングの作用で施錠する機能を確保することができる。又、中央杆を上下動させるだけで、連係手段を介して、開錠方向に外枠作動杆及びガラス扉作動杆を別々に開錠方向へ操作できる。又、外枠作動杆及びガラス扉作動杆を開錠方向に別々に移動させるための連係手段を外枠作動杆及びガラス扉作動杆と中央杆の間に設けたので、中央杆を介して外枠に対する内枠の開錠又はガラス扉の開錠を行うことができると共に、重層状の中央杆を介して連動移動させるために、薄型化を維持することができる。施錠機構を支持体にて覆うようにしているため、外部から針金等の不正侵入を防止でき、施錠機構が不正操作されることがない。
【００１０】
請求項２の発明は、請求項１において、前記分割体は、幅広い側板と該側板の両端に形成された幅狭な一対の端壁により断面略コ字状に形成された第１分割体と、前記第１分割体の側板に対向する縦長状の対向側壁を有するとともに、前記第１分割体の側板、前記一対の端壁と協働して前記施錠機構を覆うように前記第１分割体に取着される第２分割体を含むことを特徴とする。
【００１１】
請求項２の発明によれば、第１分割体と第２分割体との部材により、施錠機構を覆うことができる。又、第１分割体の側板は幅広であるため、第２分割体が組付けされる前において、施錠機構を前記側板に対応した幅広な空間域を利用して組み付けすることができ、この結果、組み付け作業を楽に行うことができる。
【００１２】
請求項３の発明は、請求項２において、第２分割体の対向側壁の長手方向に延びる一方の側縁は、前記第１分割体の一方の端壁に対して挿通係止され、前記対向側壁の長手方向に延びる他方の側縁は、前記第１分割体の他方の端壁に対して締付固定されていることを特徴とする。
【００１３】
このように請求項３では、前記対向側壁の長手方向に延びる一方の側縁は前記第１分割体の一方の端壁に対して挿通係止されるとともに、他方の側縁は前記第１分割体の他方の端壁に対してビスや、カシメピンにより締付固定されていることにより、簡単に支持体を組み付けできる。又、前記対向側壁の長手方向に延びる一方の側縁は、前記第１分割体の一方の端壁に対して挿通係止するだけでよいため、第１分割体の一方の端壁に対して対向側壁の一方の側縁をビス止めや、カシメピンにより締付する場合と異なり、部品点数を少なくすることができる。又、ビス止めや、カシメピンにより固定する場合、ビス止めする部位や或いはカシメピンにより締結する部位として第１分割体の端壁や、第２分割体の対向側壁に取付固定片等を形成する必要があるが、請求項３の発明によれば、第２分割体の対向側壁における一方の側縁を、第１分割体の端壁に挿通するだけでよいため、取付固定片等を設ける必要はない。
【００１４】
請求項４の発明は、請求項１又は請求項３のうちいずれか１項において、前記中央杆の上下方向に開口した挿通孔に前記スプリングを挿通して、前記外枠作動杆と前記ガラス扉作動杆の間に該スプリングを配置したことを特徴とする。
【００１５】
請求項４の発明の構成によれば、中央杆の上下方向に開口した挿通孔にスプリングを挿通して、外枠作動杆とガラス扉作動杆の間にスプリングを配置した。このため、スプリングの装着スペースを重層状に配置された中央杆の配置スペースを主体とすることにより、支持体の側壁間にスプリングを装着して、幅方向及び前後奥行方向に装着スペースを必要とせず、薄型化の維持及び達成がされる。
【００１６】
請求項５の発明は、請求項１乃至請求項３のうちいずれか１項において、前記外枠作動杆と前記ガラス扉作動杆に、前記中央杆の非延長領域を設け、該非延長領域において、前記スプリングを配置したことを特徴とする。
【００１７】
請求項５の発明の構成によれば、外枠作動杆と前記ガラス扉作動杆に、前記中央杆の非延長領域を設け、該非延長領域において、スプリングを配置した。このため、スプリングの装着スペースを中央杆の非延長領域における配置スペースを主体とすることにより、支持体の側壁間にスプリングを装着して、幅方向及び前後奥行方向に装着スペースを必要とせず、薄型化を維持、達成することができる。又、長尺ものではプレス加工に細心の注意を必要とするが、中央杆の非延長領域にスプリングを配置することにより、中央杆を短寸化でき、部材加工を容易化したり、軽量化が図れる。
【００１８】
請求項６の発明は、請求項１乃至請求項５のうちいずれか１項において、前記スプリングは圧縮スプリングであり、前記外枠作動杆及び前記ガラス扉作動杆を施錠方向に付勢したことを特徴とする。
【００１９】
請求項６の発明によれば、スプリングを圧縮スプリングとし、外枠作動杆及びガラス扉作動杆を施錠方向に付勢することにより、外枠作動杆、中央杆、及びガラス扉作動杆において、対応するスプリング座の間にスプリングを圧縮して押し込むだけで、容易にスプリングが装着される。
【００２０】
請求項７の発明は、請求項１乃至請求項５のうちいずれか１項において、前記スプリングは引張スプリングであり、前記外枠作動杆及び前記ガラス扉作動杆を施錠方向に付勢したことを特徴とする。
【００２１】
請求項７の発明によれば、スプリングを引張スプリングとし、外枠作動杆及びガラス扉作動杆を施錠方向に付勢することにより、外枠作動杆、及びガラス扉作動杆において、対応するスプリング座の間にスプリングを伸張して引っかけるだけで、容易にスプリングが装着される。なお、圧縮スプリングの場合、施錠機構の作動時において圧縮される際に、圧縮スプリングの撓みにより他の部材に当たって異音が発生することがあるが、引張スプリングを使用する場合には引っ張られるだけで撓むことがないため、施錠機構の作動時において引張スプリングに起因する異音の発生がない。
【００２２】
請求項８の発明は、請求項１乃至請求項７のいずれか１項において、前記外枠作動杆又はガラス扉作動杆を上下一対の分離した上下部作動杆としたことを特徴とする。
請求項８によれば、外枠作動杆とガラス扉作動杆を上下一対の分離した上下部作動杆としたことにより、スプリングで付勢された上下部作動杆のいずれか一方を開錠しても、他方は施錠されており、不正開錠防止対策が実現される。
【００２３】
請求項９の発明は、請求項１乃至請求項８のいずれか１項において、前記外枠作動杆に設けられた外枠鉤とガラス扉作動杆に設けられたガラス扉鉤に前記外枠の係止部と前記ガラス扉の係止部が係合離脱する係合溝をそれぞれ有する係合突起が設けられ、前記外枠鉤及び前記ガラス扉鉤のうち少なくとも一方には、前記いずれか一方の係止部が閉鎖時に当接するとともに、傾斜状の当接摺動面が形成され、該当接摺動面は、閉鎖時の当接前半部が傾斜面に形成されるとともに前記係合溝側の当接後半部が前記当接前半部よりも面圧が軽減される面圧軽減面に形成されていることを特徴とする。
【００２４】
請求項９によれば、中央杆が操作されていない非操作の状態では、外枠に対して内枠を閉鎖、又は内枠に対してガラス扉を閉鎖する時に、外枠鉤又はガラス扉鉤の当接部後半において、係止部に対する面圧増加が軽減されることにより内枠、又はガラス扉の閉鎖完了がスムーズに行われる。
【００２５】
請求項１０の発明は、内枠に取り付けられる支持体に対して、上下動自在に配置されることにより外枠及びガラス扉をそれぞれ施錠及び開錠する外枠作動杆及びガラス扉作動杆を含む施錠機構を設けた遊技機における施錠装置であって、前記支持体は複数の分割体が組み付けされることにより、前記施錠機構の四方を覆うように断面四角枠状となすとともに前記内枠に対して取付けする取付部を備え、該取付部は、前記支持体において、前記内枠の背面に向く側壁の側縁から突出形成されるとともに、下方向に開口する係止溝を有する係止鉤を含むことを特徴とする遊技機における施錠装置を要旨とするものである。
【００２６】
請求項１０によれば、内枠の背面に向く支持体の側壁の側縁から突出した係止鉤にて取付けできるため、従来の内枠の背面に対して対向する支持体の端壁を介して固定のためのねじ止めをする必要がなく、施錠装置のスリム化が図られる。又、内枠の背面に向く支持体の側壁の側縁から下方向に開口する係止溝を有した係止鉤を突出形成したため、内枠に設けられた被係止部に該係止鉤を引っかける作業で内枠に対して支持体を簡単に取付し、後の支持体を固定するための作業が楽に行われる。又、該係止鉤の部分においてねじ無し、部品点数の少数化ができるとともに、内枠に施錠装置を容易に取り付けることができる。さらに、係止鉤が突出することにより内枠の背面の被係止部が隠れることがなく、取付のための位置合わせを容易に行うことができる。
【００２７】
請求項１１の発明は、請求項１０において、前記取付部は、係止鉤が形成されていない前記支持体の他方の側壁から、前記内枠の背面とは反対側に延出されるとともに折り曲げ形成された取付片を含むことを特徴とする。
【００２８】
請求項１０によれば、一方の支持体の側壁に設けられた係止鉤により、内枠に対して係止し、他方の側壁に設けられた取付片にて内枠の背面に対して施錠装置を取付けすることにより、取付状態を安定化することができる。又、係止鉤により内枠に対して施錠装置を係止した後は、施錠装置は仮取付されるため、その後に行われる、取付片を介しての取付け作業は手で支えることが必要で無くなり、簡便に取付できる。
【００２９】
請求項１２の発明は、請求項１０又は請求項１１に記載の取付部を備えた遊技機において、請求項１乃至請求項９のうちのいずれか１項に記載の施錠機構を有した遊技機における施錠装置を特徴とする。
【００３０】
請求項１２によれば、スリム化の２要素である請求項１乃至請求項９のいずれか１項に記載の施錠機構と、請求項１０又は請求項１１記載の取付部の両者を備えたため、２要素の相乗効果により、スリム化を更に容易に実現することができ、更に、請求項１乃至９のいずれか１項に記載の各種効果を複合化することができる。
【発明の効果】
【００３１】
以上詳述したように、請求項１乃至請求項９の発明によれば、各種作動杆やスプリングの配置の改良及び内枠に対する取付けを改良してスリム化を達成した遊技機における施錠装置を提供できる。
【００３２】
又、請求項１０乃至請求項１２の発明によれば、スリム化の特徴を生かしつつ取付作業を容易化した遊技機における施錠装置を提供できる。
【発明を実施するための最良の形態】
【００３３】
（第１実施形態）
以下、本発明の一実施形態を図１〜１０を参照して説明する。なお、以下において上下左右は、パチンコ遊技機を前方から見た場合の上下左右を示すものとする。
【００３４】
図６（ａ）に示すように、遊技機の一種であるパチンコ遊技機１１は、その外郭が縦長四角枠状をなす外枠１２により形成され、この外枠１２の前面の一部には、四角枠状をなす内枠１３の一側部（本実施形態では、左側部）が支持されて外枠１２に対して開閉自在にされている。外枠１２の他側部（本実施形態では右側部）には掛け金具からなる係止部１２ａ，１２ｂが設けられている。
【００３５】
内枠１３の内側には遊技盤１４が保持されているとともに、遊技盤１４の前面には図示しない打球発射装置、球皿等のパチンコゲームを展開可能とする遊技構成部材（図示しない）が搭載されている。
【００３６】
内枠１３の前面の一側部（本実施形態では、左側部）には四角板状のガラス扉１５が開閉自在に支持されている。ガラス扉１５が内枠１３に閉止された状態では、ガラス扉１５によってパチンコ遊技機１１前面から遊技盤１４が視認可能となっている。また、ガラス扉１５の他側部（本実施形態では、右側部）の背面（後面ともいう）には掛止孔１５ａ，１５ｃが設けられている。
【００３７】
内枠１３の他側部（本実施形態では、右側部）の背面には、同内枠１３の上下方向に沿って延びる縦長状の施錠装置１７が装着され、その施錠装置１７によってガラス扉１５を内枠１３に対して施錠できるとともに、内枠１３を外枠１２に対して施錠できるようになっている。
【００３８】
（施錠装置１７）
ここで施錠装置１７の外郭構造及び内枠１３に対する取付構造について説明する。施錠装置１７は内枠１３に対して取付固定された支持体２０と支持体２０内に収納された施錠機構７０とを含む。
【００３９】
支持体２０は、図１、２，３，図５（ａ）及び図８に示すように、亜鉛メッキ鋼板等の金属板により断面略四角枠状をなして施錠装置１７の外郭を構成するとともに、上下方向に延出されている。該支持体２０は断面略コ字状をなす第１分割体３０と、断面Ｌ字状をなす第２分割体５０とから構成されている。
【００４０】
第１分割体３０は、図１に示すように縦長四角板状の側板３１と、該側板３１の長手方向（すなわち、上下方向）に延びる前側縁から左方へ直角に折り曲げされた前端壁３２と、側板３１の長手方向に延びる後側縁から左方へ直角に折り曲げされた後端壁３３とから構成されている。図１、図３に示すように前端壁３２の先端にはリブ片３４が後方に向かって突出されている。
【００４１】
図５（ａ）に示すように、後端壁３３の側板３１からの長さ（すなわち、側板３１からの突出量）は、リブ片３４と側板３１間の距離よりも第２分割体５０の板厚み分だけ短くされている。又、側板３１の幅の長さ（前後奥行方向の長さ）は、前端壁３２の幅（左右方向の長さ）よりも長くされている。すなわち、第１分割体３０は、側板３１の幅が前後の両端壁よりも幅広くされるとともに、側板３１、前端壁３２，後端壁３３により断面コ字状に形成されている。
【００４２】
第１分割体３０の前端壁３２は、図１及び図４（ａ）に示すように、その上下両端がリブ片３４とともに切欠きされて側板３１の前側縁が露出されるとともに、上下方向の中央部は、リブ片３４を残すように貫通孔３５が形成されて側板３１の前側縁が露出されている。そして、図１に示すように該側板３１の前側縁が露出した各部位、すなわち、内枠１３の背面に向く前側縁からは、下方に開口を有する係止溝３６ａが形成された係止鉤３６がそれぞれ突出形成されている。又、図１及び図３に示すように前端壁３２とリブ片３４の上下両端及び中央部２箇所にはその境界において、挿入孔３７がそれぞれ形成されている。
【００４３】
又、図４（ａ）に示すように前端壁３２において上下両部寄りの部位にはそれぞれ透孔３８が上下方向に延びるように透設されるとともに、貫通孔３５と下部寄りの透孔３８の間の部位には、操作孔３９が上下方向に延びるように透設されている。両透孔３８には後述する施錠機構７０のガラス扉鉤１１５及びガラス扉鉤１２５が上下動自在に挿通されるとともに外部前方へ突出されている。又、操作孔３９には施錠機構７０の操作部１０８が上下動自在に挿通されるとともに外部前方へ突出されている。
【００４４】
又、図１及び図４（ｂ）に示すように後端壁３３において、上下両部寄りの部位には、左方が開口するとともに上下方向に延びる切欠溝４０が透設されている。そして、該切欠溝４０には後述する施錠機構７０の外枠鉤８５，外枠鉤９５が上下動自在に挿通され、外部後方へ突出されている。又、後端壁３３の上部及び中央部の２箇所において、先端縁には固定片４１が後方に延びるようにそれぞれ突出されている。又、後端壁３３の下端の先端縁には固定片４２が後端壁３３の先端の延びる方向と同方向に延出されている（図４（ｂ）において矢印で示す左方向）。
【００４５】
ここで第１分割体３０において、側板３１、前端壁３２，後端壁３３は支持体２０の側壁を構成している。
一方、第２分割体５０は縦長四角板状をなす蓋板５１と、該蓋板５１の長手方向（すなわち、上下方向）に延びる後側縁において第１分割体３０の後端壁３３に沿ってＬ字状に折り曲げ形成された複数のリブ５２とから構成されている。
【００４６】
ここで第２分割体５０は支持体２０の側壁を構成するとともに、蓋板５１は側板３１に対向する対向側壁に相当する。図３、及び図５（ａ）に示すように第２分割体５０は該蓋板５１の前部外側面が第１分割体３０のリブ片３４内面に接するように配置され、長手方向に延びる前側縁に突出された複数の突片５３がそれぞれ挿入孔３７に挿入されている。
【００４７】
又、図１、図３及び図４（ｂ）に示すように蓋板５１の後側縁において、各リブ５２間には複数の取付板５４が後方に向かって突出されている。又、図１、図３及び図４（ｂ）に示すように蓋板５１の後側縁において、下端には取付板５７が直角に折り曲げされ、後端壁３３の先端と同方向に延出されている。そして、第２分割体５０は、第１分割体３０に対して取付板５４，５７が第１分割体３０の固定片４１，４２にそれぞれ重ね合わされた状態で、取付板５４，５７に挿通されたビス５５（なお、取付板５７のビスは図示されていない）及びナット５６（なお、取付板５７のナットは図示されていない）により着脱自在に締付け固定されている。
【００４８】
このように、第１分割体３０と第２分割体５０とが組み付けされていることにより、支持体２０は断面四角枠状にされるとともに後述する施錠機構７０を収納し、施錠機構７０の四方を覆うようにされている。
【００４９】
又、第２分割体５０の各取付板５４の先端には、後端壁３３の先端が延びる方向と同方向に取付片５８が折り曲げ形成されている。
図５（ａ）に示すように、内枠１３の右側部において、前側壁背面にはブラケット５９が取付けされるとともに、右側壁内面には掛け止めピン６０が、内枠１３の前側壁内面に沿うように、かつ第１分割体３０の係止鉤３６に対応するように上下方向に複数個並んで突出されている。なお、図５（ａ）には、掛け止めピン６０が１個のみ図示されている。
【００５０】
そして、支持体２０は図５（ｂ），（ｃ）に示すように被係止部としての複数の掛け止めピン６０に対してそれぞれ上方から係止鉤３６の係止溝３６ａに挿通して掛け止めされた状態で、ブラケット５９の先端の取付固定片５９ａに対して取付片５８がビス６１により着脱自在に締付け固定されている。
【００５１】
ここで、係止鉤３６及び取付片５８は内枠１３に対して支持体２０を取付する取付部に相当する。
（施錠機構７０）
次に、施錠装置１７の施錠機構７０について説明する。
【００５２】
図１に示すように、施錠機構７０の主要部は、縦長矩形状に形成された外枠作動杆８０、中央杆１００、及びガラス扉作動杆１１０の３種を、中央杆１００を間にしてそれぞれ重層状にした状態で上下動自在に支持体２０内に収納配置されている。すなわち、外枠作動杆８０、中央杆１００、及びガラス扉作動杆１１０は中央杆１００を間にして、外枠作動杆８０を左方にガラス扉作動杆１１０を右方に位置するように重層状に配置されている。
【００５３】
これらの３種の杆は後述するシリンダー錠Ｌの開錠、施錠操作により、別々に或いは、互いに連係して連動することにより上下動するようにされている。以下、３種の杆の構成及び連係構造について詳述する。
【００５４】
外枠作動杆８０は、上下一対の独立した上部外枠作動杆８１及び下部外枠作動杆９０から構成されているとともに亜鉛メッキ鋼板等により形成されている。
上部外枠作動杆８１は図１に示すように縦長矩形板状に形成されるとともに上下方向の中央部においてスプリング座８２がガラス扉作動杆１１０側に切り起こし形成されて下方に延出されている。又、上部外枠作動杆８１の上下方向の中央部には、スプリング座８２の下方側に隣接してスプリング受入孔８３が上下方向へ延出して透設されている。又、上部外枠作動杆８１は、その下部には矩形状の係止孔８４が上下方向に延出するように透設されるとともに上下方向の後側縁中央部には後方に延出された外枠鉤８５が形成されている（図６（ｂ）参照）。外枠鉤８５は、上部外枠作動杆８１に対して同一平面上に位置するように上部外枠作動杆８１の後側縁から突出された突起板８５ａにて形成され、その後方に延びる先端が係合突起８５ｃとされている。突起板８５ａの基部には、図１及び図２に示すように上部外枠作動杆８１の後側縁との間に上方に開口する係合溝８５ｂが形成されている。
【００５５】
外枠鉤８５は、上部外枠作動杆８１が上下動することにより、図６（ａ）に示す外枠１２に設けられた係止部１２ａに対して係合離脱可能とされている（図８参照）。又、図２、図３に示すように、係合溝８５ｂの開口端縁から係合突起８５ｃの突出先端までの係合突起８５ｃの上面は先端へ行くほどその面が下方に位置するように略傾斜状に形成された当接摺動面８５ｄが形成されている。当接摺動面８５ｄはさらに係合突起８５ｃの突出先端から当接摺動面８５ｄの長さ方向の略中央部までの間（すなわち、当接前半部）は直線状の傾斜面８５ｅとされ、該略中央部から係合溝８５ｂの開口端縁の間（すなわち、当接後半部）は外方に湾曲された湾曲面８５ｆとされている。
【００５６】
又、図１に示すように上部外枠作動杆８１において、上部及びスプリング受入孔８３と係止孔８４との間には一対のガイド溝８６，８７が上下方向に延びて透設されている。
そして、図１に示すように第１分割体３０の側板３１に止着されたガイドピン８８ａ，８８ｂがそれぞれガイド溝８６，８７に対して上下動自在にそれぞれ貫通されていることにより上部外枠作動杆８１は該ガイドピン８８ａ，８８ｂによりガイドされて上下動可能とされている。又、ガイドピン８８ａ，８８ｂが、ガイド溝８６，８７の下端壁にそれぞれ係止されることにより上部外枠作動杆８１の上動が規制されるとともに、ガイド溝８６，８７の上端壁にそれぞれ係止されることにより上部外枠作動杆８１の下動が規制される。このように、ガイドピン８８ａ，８８ｂは上部外枠作動杆８１が上下方向へ移動する際にストッパの機能も備えている。
【００５７】
下部外枠作動杆９０は、縦長矩形板状に形成されるとともに上下方向の中央部から上端寄り部位においてスプリング座９２がガラス扉作動杆１１０側に切り起こし形成されて下方に延出されている。又、下部外枠作動杆９０の上下方向の中央部には、スプリング座９２の下方側に隣接してスプリング受入孔９３が上下方向へ延出して透設されている。
【００５８】
又、下部外枠作動杆９０は、上下方向の中央部から下部寄りの部位には矩形状の係止孔９４が上下方向に延出するように透設されるとともに上下方向の後側縁下部には後方に延出された外枠鉤９５が形成されている（図１参照）。図２及び図３に示すように外枠鉤９５には、突起板８５ａ、係合溝８５ｂ，係合突起８５ｃ，当接摺動面８５ｄ，傾斜面８５ｅ，及び湾曲面８５ｆとそれぞれ同様に構成された突起板９５ａ、係合溝９５ｂ，係合突起９５ｃ，当接摺動面９５ｄ，傾斜面９５ｅ，及び湾曲面９５ｆを備える。これらの部位の構成は、前記外枠鉤８５の関連部位と同様の構成であるため説明を省略する。
【００５９】
外枠鉤９５は、下部外枠作動杆９０が上下動することにより、図６（ａ）に示す外枠１２に設けられた片状の係止部１２ｂに対して係合離脱可能とされている（図８参照）。又、図１に示すように下部外枠作動杆９０において、上部及び下部には一対のガイド溝９６，９７が上下方向に延びて透設されている。
【００６０】
そして、図１に示すように第１分割体３０の側板３１に止着されたガイドピン９８ａ，９８ｂがそれぞれガイド溝９６，９７に対して上下動自在にそれぞれ貫通されていることにより下部外枠作動杆９０は該ガイドピン９８ａ，９８ｂによりガイドされて上下動可能とされている。又、ガイドピン９８ａ，９８ｂが、ガイド溝９６，９７の下端壁にそれぞれ係止されることにより下部外枠作動杆９０の上動が規制されるとともに、ガイド溝９６，９７の上端壁にそれぞれ係止されることにより下部外枠作動杆９０の下動が規制される。このように、ガイドピン９８ａ，９８ｂは下部外枠作動杆９０が上下方向へ移動する際にストッパの機能も備えている。
【００６１】
中央杆１００は亜鉛メッキ鋼板等により形成されている。そして、中央杆１００は上下方向の中央部から下部寄りの部位に係止片１０１がガラス扉作動杆１１０側に切り起こし形成されてガラス扉作動杆１１０に向かう方向に突出されている。又、中央杆１００において係止片１０１が切り起こして形成された開口を含むとともに該係止片１０１に隣接された上方の部位には、挿通孔１０２が透設され、上方に延出されている。又、中央杆１００の上部には、外枠作動杆８０側に切り起こして折り曲げ形成された係止片１０３が突出されている。係止片１０３は上部外枠作動杆８１の係止孔８４内に上下動自在に係入されている。そして、中央杆１００が下動された際には、係止片１０３が係止孔８４の下端壁に係止されることにより、前記上部外枠作動杆８１を下動する。
【００６２】
又、中央杆１００の上下両端には、ガラス扉作動杆１１０側、及び外枠作動杆８０側に折り曲げして形成された係止片１０４，１０５がそれぞれ突出されている。係止片１０５は下部外枠作動杆９０の係止孔９４内に上下動自在に係入されている。そして、中央杆１００が下動された際には、係止片１０５が係止孔９４の下端壁に係止されることにより、前記下部外枠作動杆９０を下動する。
【００６３】
又、中央杆１００において、係止片１０３と中央杆１００の上端の間、及び挿通孔１０２に隣接した上方の部位には一対のガイド溝１０６，１０７が上下方向に延びて透設されている。そして、図１に示すように前記ガイドピン８８ｂ，９８ａがそれぞれガイド溝１０６，１０７に対して上下動自在にそれぞれ貫通されていることにより中央杆１００は該ガイドピン８８ｂ，９８ａによりガイドされて上下動可能とされている。又、挿通孔１０２の上端に近接する中央杆１００の前側縁には、板状の操作部１０８が形成され、操作孔３９を介して図７に示すようにガラス扉１５側へ突出されている。
【００６４】
ガラス扉作動杆１１０は、上下一対の独立した上部ガラス扉作動杆１１１及び下部ガラス扉作動杆１２０から構成されているとともに亜鉛メッキ鋼板等により形成されている。
上部ガラス扉作動杆１１１は図１に示すように縦長矩形板状に形成されるとともに上下方向の中央部においてスプリング座１１２が外枠作動杆８０側に切り起こし形成されて上方に延出されている。又、上部ガラス扉作動杆１１１の上下方向の中央部には、スプリング座８２の上方側に隣接してスプリング受入孔１１３が上下方向へ延出して透設されている。
【００６５】
ここで、スプリング受入孔１１３が設けられた領域は、図９に示すように中央杆１００が上部外枠作動杆８１と上部ガラス扉作動杆１１１に対して重層状に配置された際に、中央杆１００が上部外枠作動杆８１及び上部ガラス扉作動杆１１１に重なり合わない領域内である。中央杆１００が上部外枠作動杆８１及び上部ガラス扉作動杆１１１に重なり合わない領域は非延長領域Ａ（図９，図１０参照）とされている。
【００６６】
又、上部ガラス扉作動杆１１１は、スプリング座１１２よりも下部寄り側の部位には矩形状の係止孔１１４が上下方向に延出するように透設されるとともに上下方向の前側縁中央部には後方に延出されたガラス扉鉤１１５が形成されている（図６（ｂ）参照）。
【００６７】
係止孔１１４には、上部ガラス扉作動杆１１１に対して重層状態の中央杆１００の係止片１０４が上下動自在に係入されており、中央杆１００が上動時に係止孔１１４の上端壁に係止されることにより上部ガラス扉作動杆１１１が上動する。
【００６８】
ガラス扉鉤１１５は、上部ガラス扉作動杆１１１に対して同一平面上に位置するように上部ガラス扉作動杆１１１の前側縁から突出された突起板１１５ａにて形成され、その前方に延びる先端が係合突起１１５ｃとされている。突起板１１５ａの基部には、図１及び図２に示すように上部ガラス扉作動杆１１１の前側縁との間に下方に開口する係合溝１１５ｂが形成されている。
【００６９】
ガラス扉鉤１１５は、上部ガラス扉作動杆１１１が上下動することにより、図６（ａ）に示すガラス扉１５に設けられた掛止孔１５ａの下方に位置する係止部１５ｂに対して係合離脱可能とされている（図８参照）。又、図２、図３に示すように、係合溝１１５ｂの開口端縁から係合突起１１５ｃの突出先端までの係合突起１１５ｃの下面は先端へ行くほどその面が下方に位置するように略傾斜状に形成された当接摺動面１１５ｄが形成されている。当接摺動面１１５ｄはさらに係合突起１１５ｃの突出先端から当接摺動面１１５ｄの長さ方向の略中央部までの間（すなわち、当接前半部）は直線状の傾斜面１１５ｅとされ、該略中央部から係合溝１１５ｂの開口端縁の間（すなわち、当接後半部）は外方に湾曲された湾曲面１１５ｆとされている。
【００７０】
又、図１に示すように上部ガラス扉作動杆１１１において、上部及び係止孔１１４の下方に位置する部位（すなわち、下部）には一対のガイド溝１１６，１１７が上下方向に延びて透設されている。
【００７１】
そして、図１に示すように第１分割体３０の側板３１に止着されたガイドピン８８ａ，８８ｂがそれぞれガイド溝１１６，１１７に対して上下動自在にそれぞれ貫通されていることにより上部ガラス扉作動杆１１１は該ガイドピン８８ａ，８８ｂによりガイドされて上下動可能とされている。又、ガイドピン８８ａ，８８ｂが、ガイド溝１０６，１０７の下端壁にそれぞれ係止されることにより上部ガラス扉作動杆１１１の上動が規制されるとともに、ガイド溝１０６，１０７の上端壁にそれぞれ係止されることにより上部ガラス扉作動杆１１１の下動が規制される。このように、ガイドピン８８ａ，８８ｂは上部ガラス扉作動杆１１１が上下方向へ移動する際にストッパの機能も備えている。
【００７２】
下部ガラス扉作動杆１２０は、縦長矩形板状に形成されるとともに上下方向の中央部から上端寄り部位においてスプリング座１２２が外枠作動杆８０側に切り起こし形成されて上方に延出されている。又、下部ガラス扉作動杆１２０の上下方向の中央部よりも上端側には、スプリング座１２２の上方側に隣接してスプリング受入孔１２３が上下方向へ延出して透設されている。
【００７３】
又、下部ガラス扉作動杆１２０には、スプリング座１２２よりも上下方向の中央部寄り側の部位には矩形状の係止孔１２４が上下方向に延出するように透設されるとともにの前側縁下部には前方に延出されたガラス扉鉤１２５が形成されている（図６（ｂ）参照）。係止孔１２４には下部ガラス扉作動杆１２０に対して重層状態の前記中央杆１００の係止片１０１が上下動自在に係入されており、中央杆１００が上動時に係止孔１２４の上端壁に係止されることにより下部ガラス扉作動杆１２０が上動する。
【００７４】
ここで、中央杆１００の係止片１０１，１０３、１０４，１０５と、外枠作動杆８０の係止孔８４，９４及びガラス扉作動杆１１０の係止孔１１４，１２４は連係手段を構成している。
【００７５】
図２に示すようにガラス扉鉤１２５には、突起板１１５ａ、係合溝１１５ｂ，係合突起１１５ｃ，当接摺動面１１５ｄ，傾斜面１１５ｅ，及び湾曲面１１５ｆとそれぞれ同様に構成された突起板１２５ａ、係合溝１２５ｂ，係合突起１２５ｃ，当接摺動面１２５ｄ，傾斜面１２５ｅ，及び湾曲面１２５ｆを備える。これらの部位の構成は、前記ガラス扉鉤１１５の関連部位と同様の構成であるため説明を省略する。ガラス扉鉤１２５は、下部ガラス扉作動杆１２０が上下動することにより、図６（ａ）に示すガラス扉１５の他側部（本実施形態では、右側部）背面に設けられた掛止孔１５ｃの下方に位置する係止部１５ｄに対して係合離脱可能とされている（図８参照）。
【００７６】
又、図１に示すように下部ガラス扉作動杆１２０において、上部及び下部には一対のガイド溝１２６，１２７が上下方向に延びて透設されている。
そして、図１に示すように第１分割体３０の側板３１に止着されたガイドピン９８ａ，９８ｂがそれぞれガイド溝１２６，１２７に対して上下動自在にそれぞれ貫通されていることにより下部ガラス扉作動杆１２０は該ガイドピン９８ａ，９８ｂによりガイドされて上下動可能とされている。又、ガイドピン９８ａ，９８ｂが、ガイド溝１２６，１２７の下端壁にそれぞれ係止されることにより下部ガラス扉作動杆１２０の上動が規制されるとともに、ガイド溝１２６，１２７の下端壁にそれぞれ係止されることにより下部ガラス扉作動杆１２０の上動が規制される。このように、ガイドピン９８ａ，９８ｂは下部ガラス扉作動杆１２０が上下方向へ移動する際にストッパの機能も備えている。
【００７７】
又、上部外枠作動杆８１のスプリング座８２と、上部ガラス扉作動杆１１１のスプリング座１１２には、若干圧縮状態のスプリングＣ１の上下両端がそれぞれ掛け止めされている。本実施形態ではスプリングＣ１は、圧縮コイルスプリング（圧縮スプリング）にて形成されている。このようにスプリングＣ１が、スプリング座８２，１１２間に配置されることにより、スプリングＣ１の上部の一部がスプリング受入孔８３内に収納され、下部の一部がスプリング受入孔１１３内に収納されるとともに中央杆１００の板厚に相当する空間域に残りが位置している。
【００７８】
スプリングＣ１の付勢力により上部外枠作動杆８１はガイドピン８８ａにガイド溝８６の下端壁が掛け止め係止された状態となり、上部ガラス扉作動杆１１１はガイドピン８８ｂにガイド溝１１７の上端壁が係止された状態となる。そして、この状態において、中央杆１００の係止片１０３は上部外枠作動杆８１における係止孔８４の下端壁に当接係止されるとともに、係止片１０４は上部ガラス扉作動杆１１１における係止孔１１４の上端壁に当接係止される。
【００７９】
又、下部外枠作動杆９０のスプリング座９２と、下部ガラス扉作動杆１２０のスプリング座１２２には、若干圧状態のスプリングＣ２の上下両端がそれぞれ掛け止めされている。本実施形態ではスプリングＣ２は、圧縮コイルスプリングにて形成されている。又、このようにスプリングＣ２がスプリング座９２，１２２間に配置されることにより、スプリングＣ２の上部の一部がスプリング受入孔９３内に収納され、下部の一部がスプリング受入孔１２３内に収納されるとともに中央杆１００の板厚に相当する空間域である挿通孔１０２内に残りの一部が配置されている。
【００８０】
なお、第１分割体３０の側板３１において、図１、図２及び図４に示すようにスプリングＣ１，Ｃ２と相対する部位には外方に膨出する膨出部Ｂ１，Ｂ２が形成されている。又、膨出部Ｂ１，Ｂ２に隣接する前端壁３２には、透孔３８，及び操作孔３９にそれぞれ連通する開口部Ｂ１ａ，Ｂ２ａが形成されている。膨出部Ｂ１，Ｂ２及び開口部Ｂ１ａ，Ｂ２ａは、スプリングＣ１，Ｃ２の巻径に対応する他、中央杆１００の係止片１０１，１０４の折り曲げ高さに対応して係止片１０１，１０４の移動と取付を容易化するために設けられている。
【００８１】
スプリングＣ２の付勢力により下部外枠作動杆９０はガイドピン９８ａにガイド溝９６の下端壁が係止された状態となり、下部ガラス扉作動杆１２０はガイドピン９８ｂにガイド溝１２７の上端壁が係止された状態となる。そして、この状態において、中央杆１００の係止片１０５は下部外枠作動杆９０における係止孔９４の下端壁に当接係止されるとともに、係止片１０１は下部ガラス扉作動杆１２０における係止孔１２４の上端壁に当接係止される。
【００８２】
そして、中央杆１００が外部から操作されていない時にはスプリングＣ１，Ｃ２の付勢力により上部外枠作動杆８１、下部外枠作動杆９０はそれぞれガイド溝８７，９７の下端壁がガイドピン８８ｂ，９８ｂに係止される。又、中央杆１００が外部から操作されていない時にはスプリングＣ１，Ｃ２の付勢力により上部ガラス扉作動杆１１１及び下部ガラス扉作動杆１２０はそれぞれガイド溝１１７，１２７の上端壁がガイドピン８８ｂ，９８ｂに係止される。このときの上部外枠作動杆８１，下部外枠作動杆９０，中央杆１００，上部ガラス扉作動杆１１１及び下部ガラス扉作動杆１２０の位置をそれぞれの部材の原位置という。
【００８３】
そして、本実施形態では、このように、上部外枠作動杆８１及び下部外枠作動杆９０は、開錠時には、同時に同方向（すなわち、外枠作動杆８０の開錠方向、本実施形態では下方向）に連動して、中央杆１００と両外枠作動杆により、いわゆる３分割杆が構成されている。なお、本実施形態では、外枠作動杆８０（上部外枠作動杆８１及び下部外枠作動杆９０）の施錠方向は上方向である。
【００８４】
又、上下分離した上部外枠作動杆８１及び下部外枠作動杆９０は、不正開錠時には、両者が独立するとともに、中央杆１００に対しても独立しており、且つ、中央杆１００の逆方向の移動には連動移動しない。このようにして、中央杆１００と、上部外枠作動杆８１及び下部外枠作動杆９０は多様な連動性を有した３分割杆として構成されている。
【００８５】
又、上部ガラス扉作動杆１１１及び下部ガラス扉作動杆１２０は、開錠時には、同時に同方向（すなわち、ガラス扉作動杆１１０の開錠方向、本実施形態では上方向）に連動して、中央杆１００と両外枠作動杆により、いわゆる３分割杆が構成されている。なお、本実施形態では、ガラス扉作動杆１１０（上部ガラス扉作動杆１１１及び下部ガラス扉作動杆１２０）の施錠方向は下方向である。
【００８６】
又、上下分離した上部ガラス扉作動杆１１１及び下部ガラス扉作動杆１２０は、不正開錠時には、両者が独立するとともに、中央杆１００に対しても独立しており、且つ、中央杆１００の逆方向の移動には連動移動しない。このようにして、中央杆１００と、上部ガラス扉作動杆１１１及び下部ガラス扉作動杆１２０は多様な連動性を有した３分割杆として構成されている。
【００８７】
図６（ｂ）、図７に示すようにガラス扉１５の他側部（本実施形態では右側部）前面には、シリンダー錠Ｌが装着されている。シリンダー錠Ｌのロータ先端（図示しない）はガラス扉１５の他側部（本実施形態では、右側部）背面に突出されるとともにピニオン１３０が止着されている。シリンダー錠Ｌに図示しない正規の鍵を挿入して正逆回転操作することにより、その鍵の回転方向と同一方向にピニオン１３０が回動するようにされている。
【００８８】
ガラス扉１５の他側部（本実施形態では、右側部）背面には、細長板状をなす作動体１３１が上下動自在に支持されている。作動体１３１は、図７に示すように、ガラス扉１５の他側部背面に沿って配置される該背面に摺接する摺接板１３２と、摺接板１３２から直交して立設された側部板１３３と、該側部板１３３に対して９０度折り曲げ形成されたリブ１３４を備えている。側部板１３３の上下方向中央部には、複数の四角孔１３５からなる噛合体としてのラック１３６が設けられている。ラック１３６は、複数の四角孔１３５を前記作動体１３１の長手方向に沿って格子状に穿設することにより形成されている。このラック１３６は前記ピニオン１３０と噛合されており、ピニオン１３０が正逆回転することにより、作動体１３１が上下動される。図７及び図５（ｄ）に示すように、リブ１３４において、ラック１３６から上方に位置する部位には、挿入溝１３７が切り欠き形成されており、ガラス扉１５が内枠１３に対して閉じられた際、該挿入溝１３７に対して操作部１０８の先端が離脱自在に挿入される。
【００８９】
さて上記のように構成された施錠装置１７の組み付けを簡単に説明する。
図１に示すように、第１分割体３０と第２分割体５０とを分離した状態で、ガラス扉作動杆１１０の上部ガラス扉作動杆１１１と下部ガラス扉作動杆１２０を前端壁３２と後端壁３３間の開口を介して第１分割体３０内に納める。このとき、上部ガラス扉作動杆１１１のガラス扉鉤１１５を透孔３８を通過させて外部に突出させるとともに、下部ガラス扉作動杆１２０のガラス扉鉤１２５を透孔３８を通過させて外部に突出させる。
【００９０】
次に、中央杆１００を上部ガラス扉作動杆１１１と下部ガラス扉作動杆１２０上に重ねる。このとき、係止片１０４を係止孔１１４に係入するとともに係止片１０１を係止孔１２４に係入する。
【００９１】
そして、次に、外枠作動杆８０の上部外枠作動杆８１と下部外枠作動杆９０をそれぞれ中央杆１００上に重ねる。このとき、上部外枠作動杆８１の外枠鉤８５及び下部外枠作動杆９０の外枠鉤９５をそれぞれ切欠溝４０を通して外部に突出させる。又、上部外枠作動杆８１の係止孔８４に対して中央杆１００の係止片１０３を係入するとともに下部外枠作動杆９０の係止孔９４に中央杆１００の係止片１０５を係入する。
【００９２】
この後、ガイドピン８８ａを上部外枠作動杆８１のガイド溝８６、及び上部ガラス扉作動杆１１１のガイド溝１１６を通過させて第１分割体３０の側板３１にカシメ着する。又、ガイドピン８８ｂを上部外枠作動杆８１のガイド溝８７、中央杆１００のガイド溝１０６及び上部ガラス扉作動杆１１１のガイド溝１１７を通過させて第１分割体３０の側板３１にカシメ着する。
【００９３】
さらに、ガイドピン９８ａを下部外枠作動杆９０のガイド溝９６、中央杆１００のガイド溝１０７及び下部ガラス扉作動杆１２０のガイド溝１２６を通過させて第１分割体３０の側板３１にカシメ着する。又、ガイドピン９８ｂを下部外枠作動杆９０のガイド溝９７、及び下部ガラス扉作動杆１２０のガイド溝１２７を通過させて第１分割体３０の側板３１にカシメ着する。
【００９４】
この後、上部外枠作動杆８１のスプリング受入孔８３及び上部ガラス扉作動杆１１１のスプリング受入孔１１３内にスプリングＣ１を配置した状態で圧縮させてその両端をスプリング座８２，１１２に当接係止して掛け止めする。
【００９５】
又、下部外枠作動杆９０のスプリング受入孔９３、中央杆１００の挿通孔１０２、及び下部ガラス扉作動杆１２０のスプリング受入孔１２３内にスプリングＣ２を配置した状態で圧縮させてその両端をスプリング座９２，１２２に当接係止して掛け止めする。
【００９６】
この後、第２分割体５０を第１分割体３０に組み付けする。すなわち、第２分割体５０の突片５３を挿入孔３７にそれぞれ係入して、各取付板５４、５７を第１分割体３０の固定片４１，４２を重ね合わせビス５５とナット５６により両者を締付け固定する。
【００９７】
次に、施錠装置１７の施錠、開錠操作について説明する。
施錠装置１７が施錠状態のときは、スプリングＣ１，Ｃ２の付勢力により、上部外枠作動杆８１及び下部外枠作動杆９０は上方に付勢されるとともに上部ガラス扉作動杆１１１及び下部ガラス扉作動杆１２０は下方に付勢されている。この結果、図８に示すように上部外枠作動杆８１及び下部外枠作動杆９０の外枠鉤８５，９５が外枠１２の係止部１２ａ，１２ｂに係止されるとともにガラス扉１５の係止部１５ｂ、１５ｄに対して上部ガラス扉作動杆１１１及び下部ガラス扉作動杆１２０のガラス扉鉤１１５，１２５が係合されている。この状態では外枠１２に対して内枠１３が、又、内枠１３に対してガラス扉１５が施錠装置１７により閉鎖状態にロックされている。
【００９８】
ここで、外枠１２に対して遊技盤１４が設けられた内枠１３を開放する場合、シリンダー錠Ｌに図示しない正規の鍵を差し込みして、ピニオン１３０を図７において反時計回りに回動操作する。すなわち、内枠１３のための開錠操作を行う。すると、ピニオン１３０に噛合されたラック１３６が駆動されることにより作動体１３１が下方へ移動される。作動体１３１の下方への移動により、作動体１３１の挿入溝１３７に係入されて連係された操作部１０８が下方へ移動されるため、中央杆１００が下動される（図８参照）。中央杆１００の下動により係止片１０３，１０５にそれぞれ係合された上部外枠作動杆８１及び下部外枠作動杆９０が、スプリングＣ１，Ｃ２をその付勢力にそれぞれ抗して短縮させて下動されることにより、外枠鉤８５，９５と外枠１２の係止部１２ａ，１２ｂとの係合がそれぞれ解除（すなわち、開錠）される。
【００９９】
内枠１３が外枠１２より開放されると、外枠１２の係止部１２ａ，１２ｂと上部外枠作動杆８１及び下部外枠作動杆９０の外枠鉤８５，９５は水平方向で非係合状態となる。この状態でシリンダー錠Ｌの回動操作を終了して手を離すと、スプリングＣ１，Ｃ２の付勢による作用により中央杆１００，上部外枠作動杆８１及び下部外枠作動杆９０は上動して、原位置に復帰する。
【０１００】
内枠１３に対してガラス扉１５を開放状態とする場合、シリンダー錠Ｌに図示しない鍵を差し込みして、ピニオン１３０を図７において時計回りに回動操作する。すなわち、ガラス扉１５のための開錠操作を行う。すると、ピニオン１３０に噛合されたラック１３６が駆動されることにより作動体１３１が上方へ移動される。作動体１３１の上方への移動により、作動体１３１の挿入溝１３７に係入されて連係された操作部１０８が上方へ移動されるため、中央杆１００が上動される。図７〜１０に示すように中央杆１００の上動により係止片１０４，１０１に係合された上部ガラス扉作動杆１１１及び下部ガラス扉作動杆１２０が、スプリングＣ１，Ｃ２をその付勢力にそれぞれ抗して短縮させて上動される。このことにより、ガラス扉鉤１１５，１２５とガラス扉１５の係止部１５ｂ，１５ｄとの係合がそれぞれ解除（すなわち、開錠）される。
【０１０１】
ガラス扉１５が内枠１３より開放されると、ガラス扉１５の係止部１５ｂ，１５ｄと上部ガラス扉作動杆１１１及び下部ガラス扉作動杆１２０のガラス扉鉤１１５，１２５は水平方向で非係合状態となる。この状態でシリンダー錠Ｌの回動操作を終了して手を離すと、スプリングＣ１，Ｃ２の付勢による作用により中央杆１００，上部ガラス扉作動杆１１１及び下部ガラス扉作動杆１２０は下動して、原位置に復帰する。
【０１０２】
又、外枠１２に対する内枠１３の閉鎖操作又は内枠１３に対するガラス扉１５の閉鎖操作を行う場合、内枠１３及びガラス扉１５の両者が開放された状態で、該両者を閉鎖する操作方法の他、以下のような閉鎖操作を内枠１３又はガラス扉１５に対して単独で行ったり、前述した開錠操作と併用して行うことができる。
【０１０３】
外枠１２に対して内枠１３を閉鎖する場合、上部外枠作動杆８１及び下部外枠作動杆９０は原位置に位置した状態となっており、この状態で内枠１３を閉鎖すると、外枠１２の係止部１２ａ，１２ｂの下端に対して施錠装置１７の外枠鉤８５，９５の当接摺動面８５ｄ，９５ｄが水平移動して当接する。このとき、当接摺動面８５ｄ，９５ｄは傾斜しているため、外枠鉤８５，９５はスプリングＣ１，Ｃ２の付勢力に抗して下動される。この結果、当接摺動面８５ｄ，９５ｄは係止部１２ａ，１２ｂの下端面を通過する。そして、外枠鉤８５，９５はスプリングＣ１，Ｃ２の付勢力により上動して係合溝８５ｂ，９５ｂ内に係止部１２ａ，１２ｂが係入され、内枠１３が閉鎖状態にロックされる。なお、係止部１２ａ，１２ｂの下端に対して外枠鉤８５，９５の当接摺動面８５ｄ，９５ｄが当接して摺動する際に、すなわち、上部外枠作動杆８１及び下部外枠作動杆９０が下動する際に、略傾斜状の当接摺動面８５ｄ，９５ｄにおいては傾斜面８５ｅ，９５ｅと湾曲面８５ｆ，９５ｆ間の境界を境にして面圧が変化する。傾斜面８５ｅ，９５ｅと湾曲面８５ｆ，９５ｆ間の境界は中途部に相当する。
【０１０４】
当接前半部の傾斜面８５ｅ，９５ｅでは、外枠鉤８５，９５の下動量と水平移動量の比率は一定であるとともに、外枠鉤８５，９５の下動に応じてスプリングＣ１，Ｃ２の付勢力（すなわち、弾性力）は増加し、係止部１２ａ，１２ｂと当接摺動面８５ｄ，９５ｄの面圧は上昇する。一方、当接後半部の湾曲面８５ｆ，９５ｆでは、外枠鉤８５，９５の下動量に対する水平移動量の比率が、当接前半部の傾斜面８５ｅ，９５ｅに比して徐々に増加し、付勢力の増加比率が低下して、外枠鉤８５，９５は下動及び水平移動する。
【０１０５】
この結果、内枠１３を閉鎖する際に、係止部１２ａ，１２ｂに外枠鉤８５，９５の当接摺動面８５ｄ，９５ｄの当接前半部が当接して外枠鉤８５，９５が下動及び水平移動する際には、スプリングＣ１，Ｃ２の付勢力が増加することにより面圧が増加するが、当接後半部の湾曲面８５ｆ，９５ｆでは面圧増加が軽減される。このように、湾曲面８５ｆ，９５ｆは当接前半部よりも面圧を軽減する面圧軽減面とされている。
【０１０６】
なお、内枠１３に対してガラス扉１５を閉鎖する場合、前述した外枠１２に対して内枠１３を閉鎖する場合と同様にガラス扉鉤１１５，１２５には当接摺動面１１５ｄ，１２５ｄの当接前半部に傾斜面１１５ｅ，１２５ｅが設けられ、当接後半部に湾曲面１１５ｆ，１２５ｆが設けられている。湾曲面１１５ｆ，１２５ｆは面圧軽減面とされている。
【０１０７】
このため、ガラス扉１５を閉鎖する際に、係止部１５ｂ，１５ｄにガラス扉鉤１１５，１２５の当接前半部が当接して上部ガラス扉作動杆１１１及び下部ガラス扉作動杆１２０が上動及び水平移動する際には、スプリングＣ１，Ｃ２の付勢力が増加することにより面圧が増加するが、当接後半部の湾曲面８５ｆ，９５ｆでは面圧増加が軽減される。
【０１０８】
なお、外枠１２に対して内枠１３を、シリンダー錠Ｌ以外で開錠（すなわち不正開錠）して開放しようとする場合、外枠作動杆８０は上部外枠作動杆８１と下部外枠作動杆９０に分離して独立しているため、両方を同時に操作することは極めて困難である。
【０１０９】
又、同様に内枠１３に対してガラス扉１５をシリンダー錠Ｌ以外で開錠（すなわち不正開錠）して開放しようとする場合、ガラス扉作動杆１１０は上部ガラス扉作動杆１１１と下部ガラス扉作動杆１２０に分離して独立しているため、両方を同時に操作することは極めて困難である。
【０１１０】
さて、本実施形態によれば、以下のような特徴がある。
（１）  本実施形態の施錠装置１７の支持体２０は、第１分割体３０と第２分割体５０が組み付けされることにより、施錠機構７０の四方を覆うように断面四角枠状とした。そして、支持体２０内の施錠機構７０は、外枠作動杆８０、ガラス扉作動杆１１０及び外枠作動杆８０とガラス扉作動杆１１０間に配置される中央杆１００とを上下動自在にかつ重層状に配置した。又、施錠機構７０には、外枠作動杆８０及びガラス扉作動杆１１０を施錠方向に付勢するとともに外枠作動杆８０及びガラス扉作動杆１１０の間に亘って設けられたスプリングＣ１，Ｃ２を含むようにした。又、施錠機構７０には、外枠作動杆８０及びガラス扉作動杆１１０と中央杆１００の間に設けられるとともに外枠作動杆８０及びガラス扉作動杆１１０を開錠方向に別々に移動させる連係手段（係止片１０１，１０３、１０４，１０５、係止孔８４，９４、１１４，１２４）を含むようにした。そして、施錠機構７０には、中央杆１００が上下作動されることにより、施錠機構７０の外枠１２及びガラス扉１５に対する施錠及び開錠することようにした。
【０１１１】
この結果、本実施形態では、中央杆１００を外枠作動杆８０とガラス扉作動杆１１０間に配置して重層状に配置したため、施錠装置１７をスリム化できる。
又、スプリングＣ１，Ｃ２は支持体２０の側壁としての側板３１、前端壁３２、後端壁３３及び蓋板５１に係止する必要がない。この結果、スプリングＣ１，Ｃ２を支持体２０に取り付け係止するための構成が必要でなくなるとともに、該構成のスペース分、支持体２０の薄型化を図ることができる。
【０１１２】
又、スプリングＣ１，Ｃ２を外枠作動杆８０及びガラス扉作動杆１１０の間に亘って配置することによって、外枠作動杆８０及びガラス扉作動杆１１０の間に位置する中央杆１００の厚み分をスプリングＣ１，Ｃ２の幅方向の収納スペースに利用でき、そのことによっても施錠装置１７をコンパクト化することができる。
【０１１３】
又、外枠作動杆８０及びガラス扉作動杆１１０を施錠方向に付勢するスプリングＣ１，Ｃ２が、外枠作動杆８０とガラス扉作動杆１１０の間に亘って設けられているため、中央杆１００が操作されていない時にはスプリングＣ１，Ｃ２の作用で施錠する機能を確保することができる。
【０１１４】
又、中央杆１００を上下動させるだけで、連係手段（係止片１０１，１０３、１０４，１０５、係止孔８４，９４、１１４，１２４）を介して、開錠方向に外枠作動杆８０及びガラス扉作動杆１１０を別々に開錠方向へ操作できる。
【０１１５】
又、外枠作動杆８０及びガラス扉作動杆１１０をそれぞれの開錠方向に別々に移動させるための連係手段（係止片１０１，１０３、１０４，１０５、係止孔８４，９４、１１４，１２４）を外枠作動杆８０及びガラス扉作動杆１１０と中央杆１００の間に設けた。このため、中央杆１００を介して外枠１２に対する内枠１３の開錠又はガラス扉１５の開錠を行うことができる。又、重層状に配置された中央杆１００を介して連動移動させるために、薄型化を維持することができる。
【０１１６】
又、施錠機構７０の四方を支持体２０の第１分割体３０と第２分割体５０とにより覆うようにしているため、外部から針金等の不正侵入を防止でき、施錠機構７０が不正操作されることがない。
【０１１７】
（２）  本実施形態では、第１分割体３０は、幅広な側板３１と該側板３１の両端に形成された幅狭な一対の端壁（前端壁３２及び後端壁３３）により断面コ字状に形成されている。そして、第２分割体５０は、第１分割体３０の側板３１に対向する縦長状の蓋板５１（対向側壁）を有するとともに、第１分割体３０の側板３１、一対の端壁（前端壁３２，後端壁３３）と協働して施錠機構７０を覆うように第１分割体３０に取着されるようにした。
【０１１８】
本実施形態によれば、第１分割体３０と第２分割体５０により施錠機構７０を覆うことができる。又、第１分割体３０の側壁は幅広であるため、第２分割体が組付けされる前において、施錠機構７０を側板３１に対応した幅広な空間域を利用して組み付けすることができ、この結果、組み付け作業を楽に行うことができる。
【０１１９】
（３）  本実施形態では、第２分割体５０の蓋板５１（対向側壁）の長手方向に延びる前側縁は、第１分割体３０の前端壁３２に対して挿通係止され、蓋板５１（対向側壁）の長手方向に延びる後側縁は、第１分割体３０の後端壁３３に対して締付固定した。
【０１２０】
本実施形態によれば、蓋板５１の長手方向に延びる前側縁を第１分割体３０の前端壁３２に対して挿通係止するとともに、後側縁を第１分割体３０の後端壁３３に対してビスや、カシメピンにより締付固定することにより、簡単に支持体２０を組み付けできる。
【０１２１】
又、蓋板５１の長手方向に延びる前側縁は、第１分割体３０の前端壁３２に対して挿通係止するだけでよいため、第１分割体３０の前端壁３２に対して蓋板５１の前側縁をビス止めや、カシメピンにより締付する場合と異なり、部品点数を少なくすることができる。
【０１２２】
又、ビス止めや、カシメピンにより固定する場合、ビス止めする部位や或いはカシメピンにより締結する部位として第１分割体３０の前端壁や、第２分割体５０の蓋板５１に取付固定片等を形成する必要がある。しかし、本実施形態によれば、第２分割体５０の蓋板５１おける前側縁を、第１分割体３０の前端壁３２に挿通するだけでよいため、取付固定片等を設ける必要がない。
【０１２３】
（４）  本実施形態では、中央杆１００の上下方向に開口した挿通孔１０２にスプリングＣ２を挿通して、外枠作動杆８０とガラス扉作動杆１１０の間にスプリングＣ２を配置するようにした。
【０１２４】
このため、スプリングＣ２の装着スペースを重層状に配置にされた中央杆１００の配置スペースを主体とすることにより、支持体２０の側壁間にスプリングＣ２を装着して、支持体２０の幅方向及び前後奥行方向に装着スペースを必要とせず、薄型化を維持、達成することができる。なお、本実施形態において、支持体２０の幅方向とは、図４（ａ）において左右方向である。
【０１２５】
（５）  本実施形態では、外枠作動杆８０とガラス扉作動杆１１０に、中央杆１００の非延長領域Ａを設け、該非延長領域Ａにおいて、スプリングＣ１を配置した。この結果、スプリングＣ１の装着スペースを中央杆１００の非延長領域Ａにおける配置スペースを主体とすることにより、支持体２０の側壁間にスプリングＣ１を装着して、幅方向及び前後奥行方向に装着スペースを必要とせず、薄型化を維持、達成することができる。又、長尺ものではプレス加工に細心の注意を必要とするが、中央杆１００の非延長領域ＡにスプリングＣ１を配置することにより、中央杆１００を短寸化でき、部材加工を容易化したり、軽量化を図ることができる。
【０１２６】
（６）  本実施形態では、スプリングＣ１，Ｃ２を圧縮コイルスプリングにて構成し、下部外枠作動杆９０及び下部ガラス扉作動杆１２０を施錠方向に付勢するようにした。この結果、本実施形態によれば、下部外枠作動杆９０、中央杆１００、及びガラス扉作動杆１１０において、対応するスプリング座８２，１１２、９２，１２２の間にスプリングＣ１，Ｃ２を圧縮して押し込むだけで、容易にスプリングＣ１，Ｃ２を装着することができる。
【０１２７】
（７）  本実施形態では、外枠作動杆８０を上部外枠作動杆８１と下部外枠作動杆９０に上下に分離し、ガラス扉作動杆１１０を上部ガラス扉作動杆１１１と下部ガラス扉作動杆１２０に上下に分離した。この結果、本実施形態によれば、スプリングＣ１，Ｃ２で付勢された上部外枠作動杆８１と下部外枠作動杆９０、或いは上部ガラス扉作動杆１１１と下部ガラス扉作動杆１２０のいずれか一方を開錠しても、他方は施錠されており、不正開錠防止対策を実現できる。
【０１２８】
（８）  本実施形態では、外枠作動杆８０の外枠鉤８５，９５、及びガラス扉作動杆１１０のガラス扉鉤１１５，１２５に外枠１２の係止部１２ａ，１２ｂ、及びガラス扉１５の係止部１５ｂ，１５ｄがそれぞれ係合離脱する係合溝８５ｂ，９５ｂ，１１５ｂ，１２５ｂを有する係合突起８５ｃ，９５ｃを設けた。
【０１２９】
そして、外枠１２の係止部１２ａ，１２ｂ及びガラス扉１５の係止部１５ｂ，１５ｄが当接する当接摺動面８５ｄ，９５ｄ，１１５ｄ，１２５ｄを傾斜状にした。さらに、当接摺動面８５ｄ，９５ｄ，１１５ｄ，１２５ｄの中途部を境にして、閉鎖時の当接前半部を傾斜面８５ｅ、９５ｅ，１１５ｅ，１２５ｅにし、係合溝８５ｂ，９５ｂ，１１５ｂ，１２５ｂの当接後半部を当接前半部よりも面圧を軽減する面圧軽減面としての湾曲面８５ｆ，９５ｆ，１１５ｆ，１２５ｆに形成した。
【０１３０】
この結果、中央杆１００が操作されていない非操作の状態で外枠１２に対して内枠１３を閉鎖又は内枠１３に対してガラス扉１５を閉鎖する時に外枠鉤８５，９５又はガラス扉鉤１１５，１２５の当接部後半において、係止部１２ａ，１２ｂ，１５ｂ，１５ｄに対する面圧増加が軽減され、内枠、ガラス扉の閉鎖完了をスムーズに行うことができる。
【０１３１】
（９）  本実施形態の施錠装置１７では、支持体２０は第１分割体３０と第２分割体５０が組み付けされることにより、施錠機構７０の四方を覆うように断面四角枠状となすとともに内枠１３に対して取付けする係止鉤３６及び取付片５８から構成される取付部を備えるようにした。そして、係止鉤３６は、支持体２０において、内枠１３の背面に向く側壁の前側縁から突出形成されるとともに、下方向に開口する係止溝３６ａを有するようにした。
【０１３２】
この結果、本実施形態によれば、内枠１３の背面に向く支持体２０の側壁の前側縁から突出した係止鉤３６にて取付けできるため、従来の内枠１３の背面に対して対向する支持体２０の端壁を介して固定のためのねじ止めをする必要がなく、施錠装置１７のスリム化ができる。
【０１３３】
又、内枠１３の背面に向く支持体２０の側壁の前側縁から下方向に開口する係止溝３６ａを有する係止鉤３６を突出形成したため、内枠１３に設けられた掛け止めピン６０（被係止部）に係止鉤３６を引っかける作業で内枠１３に対して支持体２０を簡単に取付し、後の支持体２０を固定するための作業を楽に行うことができる。又、係止鉤３６の部分においてねじ無し、部品点数の少数化ができるとともに、内枠１３に施錠装置１７を容易に取り付けることができる。
【０１３４】
さらに、係止鉤３６が突出することにより内枠１３の背面の掛け止めピン６０（被係止部）が隠れることがなく、取付のための位置合わせを容易に行うことができる。
（１０）  本実施形態の施錠装置１７では、さらに取付部として、係止鉤３６が形成されていない支持体２０の他方の側壁である蓋板５１から、内枠１３の背面とは反対側に延出されるとともに折り曲げ形成された取付片５８を設けた。
【０１３５】
この結果、本実施形態によれば、支持体２０の側板３１（一方の側壁）に設けられた係止鉤３６により、内枠１３に対して係止し、（他方の側壁）に設けられた取付片５８にて内枠１３の背面に対して施錠装置１７を取付けすることにより、施錠装置１７の取付状態を安定化することができる。又、係止鉤３６により内枠１３に対して施錠装置１７を取付係止した後は、施錠装置１７は仮取付されるため、その後に行われる、取付片５８を介しての取付け作業は手で支えることが必要で無くなり、簡便に取付できる。
【０１３６】
（第２実施形態）
次に、第２実施形態を図１１（ａ），（ｂ）を参照して説明する。なお、第１実施形態と同一構成については同一部号を付してその説明を省略し、異なるところを中心に説明する。
【０１３７】
本実施形態では、スプリングＣ１,Ｃ２が圧縮スプリングの代わりに、引張コイルスプリング（すなわち、引張スプリング）にて構成されるとともに該スプリングＣ１，Ｃ２の掛け方が第１実施形態と異なっている。施錠装置１７において、他の構成は第１実施形態と同様に構成されている。
【０１３８】
図１１（ａ）、（ｂ）は、スプリングＣ１の掛け方を示す要部説明図と、要部断面図である。同図に示すように上部外枠作動杆８１においてスプリング受入孔８３の下端にスプリング座８２ａが上部ガラス扉作動杆１１１側に切り起こし形成されて下方に延出されている。又、上部ガラス扉作動杆１１１において、スプリング受入孔１１３の上端にスプリング座１１２ａが外枠作動杆８０（上部外枠作動杆８１）側に切り起こし形成されて上方に延出されている。そして、前述の引張コイルスプリングからなるスプリングＣ１の上下両端がスプリング座８２ａ，１１２ａに掛け止めされている。
【０１３９】
なお、スプリングＣ２の掛け方の構成は図示はしないが下記の通りである。下部外枠作動杆９０においてスプリング受入孔９３下端にスプリング座（図示しない）が下部ガラス扉作動杆１２０側に切り起こし形成されて下方に延出されている。又、下部ガラス扉作動杆１２０において、スプリング受入孔１２３の上端にスプリング座（図示しない）が下部外枠作動杆９０側に切り起こし形成されて上方に延出されている。そして、スプリング受入孔９３下端にスプリング座（図示しない）と、スプリング受入孔１２３の上端にスプリング座（図示しない）のそれぞれにスプリングＣ２の上下両端が掛け止めされている。
【０１４０】
このように、スプリングＣ１，Ｃ２を掛け止めすることにより第２実施形態のスプリングＣ１，Ｃ２は、第１実施形態のスプリングＣ１，Ｃ２と同等の付勢機能を果たすことができる。
【０１４１】
さて、第２実施形態によれば、第１実施形態の（１）〜（１０）の作用効果の他、以下のような特徴がある。
（１）  第２実施形態では、スプリングＣ１，Ｃ２を引張スプリングとした。この結果、外枠作動杆８０、及びガラス扉作動杆１１０において、対応するスプリング座８２ａ，１１２ａ等の間にスプリングＣ１，Ｃ２を伸張して引っかけるだけで、容易にスプリングを装着することができる。
【０１４２】
なお、圧縮スプリングの場合、施錠機構７０の作動時において圧縮される際に、圧縮スプリングの撓みにより他の部材に当たって異音が発生することがあるが、スプリングＣ１，Ｃ２に引張スプリングを使用する場合には引っ張られるだけで撓むことがない。このため、施錠機構７０の作動時において引張スプリングに起因する異音の発生がない。
【０１４３】
なお、本発明の実施形態は以下のように変更してもよい。
○    前記実施形態では、支持体２０は、第１分割体３０と第２分割体５０とにより構成したが、支持体２０を構成する分割体は２つに限定されるものではなく、３つ以上に分割してもよい。これらの分割体を組み付けして、最終的に断面四角枠状の支持体が構成されればよい。例えば、第２分割体５０を上下方向において、２つ以上に分割して構成してもよい。
【０１４４】
○  前記実施形態では、外枠作動杆８０を上部外枠作動杆８１と下部外枠作動杆９０とに分離したが、両者を一体にして板状に形成してもよい。
○  前記実施形態では、ガラス扉作動杆１１０を上部ガラス扉作動杆１１１と下部ガラス扉作動杆１２０とに分離したが、両者を一体にして板状に形成してもよい。
【０１４５】
○  前記連係手段（係止片１０１，１０３、１０４，１０５、係止孔８４，９４、１１４，１２４）を構成している係止片及び係止孔の数は、必要最小限を確保しておけば上記実施形態の数に限定されるものではない。
【０１４６】
○  前記実施形態では、シリンダー錠Ｌの操作により中央杆１００を上下動させる機構として、操作部１０８に係合された前記作動体１３１にラック１３６が設けられ、該ラック１３６にピニオン１３０が噛合される構成とした。この代わりに、シリンダー錠Ｌの図示しないロータに対して二股部を備えたレバーを止着し、該二股部間に操作部１０８を位置させて、レバーを正逆回転させるようにしてもよい。なお、前記ラック・ピニオンの構成以外にも、カム機構（図１２参照）や、クランクにより、中央杆１００を上下動させるようにしてもよい。
【０１４７】
○  前記実施形態では、中央杆１００を中央にして、外枠作動杆８０を左方に、ガラス扉作動杆１１０を右方に配置したが、中央杆１００を中央にして、外枠作動杆８０を右方に、ガラス扉作動杆１１０を左方に配置してもよい。
【０１４８】
○  前記実施形態では、外枠作動杆８０は、開錠時に下方移動し、ガラス扉作動杆１１０は上方に移動するようにしたが、それぞれ逆方向に移動するようにしてもよい。
○  又、前記各実施形態では中央杆１００を間にして、外枠作動杆８０を左方にガラス扉作動杆１１０を右方に配置したが、中央杆１００を間にして外枠作動杆８０を右方にガラス扉作動杆１１０を左方に配置してもよい。
【０１４９】
○  前記各実施形態では、スプリングＣ１，Ｃ２をコイルスプリングにより構成したが、スプリングＣ１，Ｃ２を板ばね等の他のスプリングにより構成してもよい。
○  前記実施形態では、スプリングＣ１を中央杆１００の非延長領域Ａ内に配置するようにした。この構成に代えて、或いは、前記実施形態の構成に加えて下部外枠作動杆９０と下部ガラス扉作動杆１２０に中央杆１００が重なり合わない領域を形成するようにし、この領域を中央杆１００の非延長領域として、該領域内にスプリングＣ２を配置するようにしてもよい。この場合は、挿通孔１０２を省略することができる。
【０１５０】
又、中央杆１００を長くして、上部外枠作動杆８１，下部外枠作動杆９０と、上部ガラス扉作動杆１１１，下部ガラス扉作動杆１２０間に亘ってスプリングＣ１，Ｃ２が位置するように一対の挿通孔１０２を中央杆１００に形成してもよい。このように、スリム化の１要素としてのスプリングＣ１，Ｃ２の配置は、上部外枠作動杆８１，下部外枠作動杆９０と、上部ガラス扉作動杆１１１，下部ガラス扉作動杆１２０間に亘ってスプリングＣ１，Ｃ２を位置させれば良い。
【０１５１】
○  前記実施形態では、面圧軽減面を湾曲面としたが、湾曲面に限定されるものではなく、当接前半部よりも面圧が軽減されるように傾斜角度を変化させた傾斜面を複数接続することにより面圧軽減面を形成するようにしてもよい。
【０１５２】
○  前記実施形態では、外枠作動杆８０及びガラス扉作動杆１１０の外枠鉤８５，９５及びガラス扉鉤１１５，１２５のそれぞれに面圧を軽減する湾曲面をそれぞれ形成した。この代わりに、外枠作動杆８０及びガラス扉作動杆１１０のうちのいずれか一方において、その鉤に対して湾曲面を設け、他方の鉤の湾曲面を省略してもよい。
【０１５３】
○    本実施形態の施錠装置１７を用いて、パチスロ遊技機の本体（外枠）に上部前扉（内枠）及び下部前扉（内枠）を別途施錠する構成を採用してもよい。また、各実施形態の施錠装置１７をアレンジボール機等の他の遊技機に使用してもよい。
【図面の簡単な説明】
【０１５４】
【図１】本発明を具体化した一実施形態の遊技機における施錠装置の分解斜視図。
【図２】同じく施錠装置の右側面図。
【図３】同じく施錠装置の左側面図。
【図４】（ａ）は施錠装置の正面図、（ｂ）は施錠装置の背面図。
【図５】（ａ）は施錠装置の要部断面図、（ｂ），（ｃ）は係止鉤３６と掛け止めピン６０との係合状態を示す説明図、（ｄ）は操作部１０８と作動体１３１との係合状態を示す説明図。
【図６】（ａ）はパチンコ遊技機の概略斜視図、（ｂ）は施錠装置１７の外枠１２とガラス扉１５の相対位置関係を示すための概略図。
【図７】シリンダ錠の周辺を示す斜視図。
【図８】同じく第１分割体を除いた施錠装置の作用を示す左側面図。
【図９】同じく一部の部材を省略した施錠装置の作用を示す左側面図。
【図１０】同じく一部の部材を省略した施錠装置の作用を示す左側面図。
【図１１】（ａ）は他の実施形態の要部説明図、（ｂ）は同じく要部断面図。
【図１２】従来技術の施錠装置の分解斜視図。
【符号の説明】
【０１５５】
Ａ…非延長領域、Ｃ１，Ｃ２…スプリング、１２…外枠、
１２ａ，１２ｂ，１５ｂ，１５ｄ…係止部、１３…内枠、
１５…ガラス扉、１７…施錠装置、２０…支持体、
３０…第１分割体、３１…側板、３６…係止鉤、
３６ａ…係止溝、５０…第２分割体、５８…取付片、
７０…施錠機構、８０…外枠作動杆、８５，９５…外枠鉤、
８５ｂ，９５ｂ，１１５ｂ，１２５ｂ…係合溝、
８５ｃ，９５ｃ，１１５ｃ，１２５ｃ…係合突起、
８５ｄ，９５ｄ，１１５ｄ，１２５ｄ…当接摺動面、
８５ｅ，９５ｅ，１１５ｅ，１２５ｅ…傾斜面、
１００…中央杆、１０２…挿通孔、１１０…ガラス扉作動杆、
１１５，１２５…ガラス扉鉤。
【図１】
2007330464.tif 000003
【図２】
2007330464.tif 000004
【図３】
2007330464.tif 000005
【図４】
2007330464.tif 000006
【図５】
2007330464.tif 000007
【図６】
2007330464.tif 000008
【図７】
2007330464.tif 000009
【図８】
2007330464.tif 000010
【図９】
2007330464.tif 000011
【図１０】
2007330464.tif 000012
【図１１】
2007330464.tif 000013
【図１２】
2007330464.tif 000014